(57)【要約】【課題】効率的に庫内を冷却し、かつ陳列商品購入者の販売意欲を損なうことのないオープンショーケースを提供することを課題とするものである。【解決手段】商品陳列棚５の先端部よりも棚奥側方向に冷気を案内するカーテン３を商品陳列棚５の下部に吊下げ設置し、カーテンを前後に可動可能にし、前記カーテン３は可撓性材質からなり、短冊状に切込まれ、透明部材から形成されている。【選択図】図４
2010210214.tif 000002
【特許請求の範囲】
【請求項１】
冷気循環通路を循環する冷気により前面開口にエアカーテンを形成し、庫内の多段に配置された商品陳列棚の上の商品を冷却するオープンショーケースにおいて、前記商品陳列棚先端部よりも棚奥方向で、かつ商品陳列棚下部の幅方向の所定の箇所に、取付け取外し可能なのれん状のカーテンを吊下げ設置したことを特徴とするオープンショーケース。
【請求項２】
前記カーテンは、透明部材から形成されたことを特徴とする請求項１に記載のオープンショーケース。
【請求項３】
前記カーテンを棚奥から棚前との間で前後に移動可能にしたことを特徴とする請求項１または２に記載のオープンショーケース。
【請求項４】
前記カーテンは、複数の商品陳列棚の少なくとも１つに設けたことを特徴とする請求項１または３いずれか１つに記載のオープンショーケース。
【請求項５】
前記カーテンは、可撓性材質からなり短冊状に形成されたことを特徴とする請求項１から４のいずれか１つに記載のオープンショーケース。
【請求項６】
前記カーテンは、上下の商品陳列棚の間に形成される空間断面の少なくとも半分以上を覆う大きさとしたことを特徴とする請求項１から５のいずれか１つに記載のオープンショーケース。
【発明の詳細な説明】
【技術分野】
【０００１】
本発明は、冷気循環通路を循環する冷気により前面開口にエアカーテンが形成されるオープンショーケースに関する。
【背景技術】
【０００２】
図１、図２に示されるように、従来の冷気循環通路を循環する冷気により前面開口にエアカーテンが形成されるオープンショーケースにおいては、エアカーテンからの熱が庫内奥まで浸入し、また、冷気が逃逸することも多く、エネルギー効率の点で問題があった。
【０００３】
この問題を解消するために、特許文献１に示されるように、商品陳列棚先端部にエアーガイドを設け、庫内にエアカーテンから侵入する熱を遮る方法もある（図３参照）。
【０００４】
しかし、この方法は商品がエアーガイドによって物理的に遮断されるため商品が取り難く、その結果、陳列商品購入者の販売意欲を損なう虞がある。
【０００５】
また、エアーガイドを商品陳列棚先端部に設けているため、商品を照らす照明器具などはエアーガイドのその内側に設置されているため、エアーガイドによって仕切られた商品陳列室には照明器具などから発せられる熱によって商品陳列室や庫内に熱がこもり冷却効果を損なうとともに、上段の商品陳列棚へ熱伝達され庫内の冷却効率を維持できない。
【先行技術文献】
【特許文献】
【０００６】
実開昭６３−１９０８８３号公報
【発明の概要】
【発明が解決しようとする課題】
【０００７】
本発明は、上記に掲げた問題点を解消すべく、効率的に庫内を冷却し、かつ陳列商品購入者の販売意欲を損なうことのないオープンショーケースを提供することを課題とするものである。
【課題を解決するための手段】
【０００８】
上記の課題を解決するために請求項１の発明は、冷気循環通路を循環する冷気により前面開口にエアカーテンを形成し、庫内の多段に配置された商品陳列棚の上の商品を冷却するオープンショーケースにおいて、前記商品陳列棚先端部よりも棚奥方向で、かつ商品陳列棚下部の幅方向の所定の箇所に、取付け取外し可能なのれん状のカーテンを吊下げ設置したことを特徴とする。
【０００９】
請求項２の発明は、前記カーテンは、透明部材から形成されたことを特徴とする。
【００１０】
請求項３の発明は、前記カーテンを棚奥から棚前との間で前後に移動可能にしたことを特徴とする。
【００１１】
請求項４の発明は、前記カーテンは、複数の商品陳列棚の少なくとも１つに設けたことを特徴とする。
【００１２】
請求項５の発明は、前記カーテンは、可撓性材質からなり短冊状に形成されたことを特徴とする。
【００１３】
請求項６の発明は、前記カーテンは、上下の商品陳列棚の間に形成される空間断面の少なくとも半分以上を覆う大きさとしたことを特徴とする
【発明の効果】
【００１４】
商品陳列棚の先端部よりも棚奥側方向に冷気を案内するカーテンを商品陳列棚の下部に吊下げ設置することで、前面開口を覆うエアカーテンからの外熱の侵入を防ぐことにより、カーテンより後方にある商品陳列室の冷気を保持する効果がある。
【００１５】
また、商品陳列棚の先端部に照明器具取付けられている場合にも、前記カーテンにより照明器具から発せられる熱が商品陳列室あるいは庫内にこもることなく、カーテンより後方にある商品陳列室の冷気を保持する効果がある。
さらに、このように保持された棚奥の庫内の冷気は、複数の他の商品陳列棚も同様に冷気を保持していることから、漏れ冷気が溜まり庫内の温度を効率よく低下させる効果がある。
前記カーテンを商品陳列棚の棚奥から棚前との間で前後に移動可能に吊下げ設置することで、陳列されている商品の数、あるいは商品の陳列位置に応じて前記カーテンの位置を変更し、十分に冷却された商品などはカーテン前に商品を陳列するなどして、カーテンにより商品を物理的に遮ることなく、かつ視線の妨げにもならず、陳列商品購入者の販売意欲を損なうことがないという効果がある。
前記カーテンは、複数の商品陳列棚の少なくとも１つに設けることで、オープンショーケースの種類によって、商品購入者の視線に入り易い位置には物理的かつ視線を遮るカーテンを設けず、棚奥まで見せることができるという効果がある。
【００１６】
前記カーテンは可撓性からなり、短冊状に切込みを入れることで、棚奥にある商品の補充や取出しを妨げることがなく、商品の補充や取出し後も無駄な冷気を逃すことなく、カーテンによって外気熱及び照明器具から発せられる熱とから商品陳列室とを遮断するという効果がある。
【００１７】
また、前記カーテンを透明部材から形成することで、商品購入者の視線を遮ることなく販売意欲を損なうことがないという効果がある。
【図面の簡単な説明】
【００１８】
【図１】従来のオープンショーケースの側面図である。
【図２】従来のオープンショーケースのエアカーテン形成の概要図である。
【図３】従来のオープンショーケースの側面図である。
【図４】本発明のオープンショーケースの側面図である。
【図５】本発明のオープンショーケースの冷却方式説明図である。
【図６】本発明のオープンショーケースのカーテンである。
【図７】本発明のオープンショーケースのカーテン効果図である。
【図８】本発明のその他の実施例である。
【発明を実施するための形態】
【００１９】
以下、図４〜図８に基づいて、この発明の実施の形態を説明する。なお、従来例と対応する部分には同一の符号を用いるものとする。
【実施例１】
【００２０】
図４はこの発明の実施例１を示すオープンショーケースの側面図であり、図５は、図４における冷気の流れを示したものである。
【００２１】
図４に示すように、従来例（図２及び図３）との相違は、商品陳列棚５の棚下部に取付けられるカーテン３の位置にある。
【００２２】
本実施例では、照明器具（蛍光灯）７より棚奥側、具体的には棚先から棚奥の中間に位置する照明器具（蛍光灯）７の発する熱のこもらない商品陳列棚下部の位置で、かつその横手方向にのれん状のカーテン３が吊下げ設置されている。
【００２３】
ここで従来例（図２及び図３）と本実施例とを庫内温度分布の観点から比較してみる。
＜従来例１（図２）＞
カーテンが取付けられていない従来例１（図２）の庫内温度分布は、上段の棚が冷える傾向にあるが、上段棚に比べ下段棚の温度が高い。
＜従来例２（図３）＞
棚前の照明器具（蛍光灯）７の前方にカーテン３が取付けられている従来例２（図３）の庫内温度分布では、従来例１と同様の結果である。
【００２４】
これは照明器具（蛍光灯）７の熱がカーテン３に大きく遮られ、商品陳列室内に熱こもりが発生し、冷却効果を阻害しているからである。
＜本実施例＞
本実施例で示す位置にカーテン３を取付けることで、商品陳列室は外気あるいは照明器具（蛍光灯）７の熱を遮断するとともに、商品陳列室内の冷気を保持することが可能となる。
更に、図５に示すように、本実施例の示す位置にカーテン３を取付けることで、カーテン３と棚先までの空間が小さくなるため、エアカーテンの気流の流れが変わり、照明器具（蛍光灯）７の熱が短時間で棚先側に逃げる効果がある。
【００２５】
次に、本実施例のオープンショーケースに取付けられるカーテン３について説明する。
【００２６】
図６は、本実施例用いられるカーテン３の形状と吊下げ設置位置を示した図である。
【００２７】
本実施例のカーテン３は、商品陳列棚下部横手方向に長方形状を有し、可撓性材質からなる透明部材からなり商品陳列棚下部に、横手方向に吊下げ設置される。
【００２８】
透明部材を用いたのは、商品購入者の視線をカーテン３で遮ることを防ぐためであるが、商品購入者の視線の当らないところでは、不透明部材を用いてもよく本実施例に限定されない。
【００２９】
また、前記カーテン３は、短冊状になるように縦方向に切込みを入れ形成することで、必要最小の短冊状のカーテン３を巻上げるだけで、棚奥に陳列する商品４の取出し、補充が可能となるので、商品陳列室内の冷気を逃すことなく冷却効率の高い庫内を達成することができる。
【００３０】
なお、図示はしないが、カーテン３の丈は、オープンショーケースの正面から見た陳列商品４が覆うほどの丈の大きさにしても、カーテン３の丈をその半分以上の大きさにしても、同様にエアカーテンの気流の流れが変わり、照明器具（蛍光灯）７の熱が短時間で棚先側に逃げる効果がある。
【実施例２】
【００３１】
図７は、カーテン３が棚奥から棚先方向にかけて前後に可動可能となるように上段商品陳列棚下部にカーテンレール８を設けたものである。
【００３２】
図７に示すように、カーテンレール８は、上段商品陳列棚下部の棚奥から棚先方向に掛けて棚先と棚奥の中間に位置するあたりまでの長さで、商品陳列棚下部の両サイドに設けられている。
【００３３】
このような棚奥から棚先方向にカーテンレール８を設け前記カーテンレール８に、前後に可動可能なカーテン３を取付ける事で、陳列された冷却中の商品４の数に応じて、カーテン３の位置を変えることができる。
【００３４】
具体的には図７の（ａ）に示されるように、冷却中の商品４はカーテン３の棚奥に陳列させ、冷却済みの商品４はカーテン３より手前の棚先に陳列することで、商品４がカーテン３により物理的に遮ることなく、陳列商品購入者の販売意欲を損なうこともない。
【００３５】
当然ながら、カーテン３より手前の棚先に置かれた商品４は、エアカーテンによって、外気熱から遮断されているため、商品４として十分冷却保持されている。
【００３６】
また、図７の（ｂ）に示されるように、前記カーテン３は可撓性を有しているため、折り込むことが可能で、商品陳列室に無駄なスペースを作らない。
【００３７】
なお、図示はしないが、カーテンレール８の長さは、棚先から棚奥まで延長することも可能であり、かつ、前記カーテンレール取付け位置も商品陳列棚下部の両サイドに限定することなく、陳列されている商品４の各レーンに取付けることも可能である。
【００３８】
なお、本実施例では、カーテン３の前後の移動に、カーテンレール８を用いたが、他の代替装置を用いることを排除するものではない。
【実施例３】
【００３９】
図８に示すように、カーテン３は、上段の棚にはカーテン３は取付けず、後段の棚にのみカーテン３を取付けることもできる。
【００４０】
これは、上段の棚の陳列商品４は、比較的商品購入者の視線に入り易い位置にあり、その場合には、視線を遮るカーテン３を取付けないことで、棚奥まで見せることが可能となる。
【００４１】
但し、この取付けパターンも実施例の１つであり、任意の棚にカーテン３を設けることも可能である
また、図示しないが、本実施例のカーテン３の横巾は、商品陳列棚横手幅とほぼ等しく形成されているが、カーテンレーン８を、陳列されている商品４の各レーン毎の商品陳列棚下部に取付けた場合は、各レーン毎の幅に応じて、分割可能に形成することも可能である。
【００４２】
なお、各実施例においては、照明器具（蛍光灯）７を設けた例について説明したが、この照明器具（蛍光灯）７を設けていないオープンショーケースにも適用可能である。
【符号の説明】
【００４３】
１  吹出口
２  吸込口
３  カーテン
４  商品
５  棚（商品陳列棚）
７  照明器具（蛍光灯）
８  カーテンレール
【図１】
2010210214.tif 000003
【図２】
2010210214.tif 000004
【図３】
2010210214.tif 000005
【図４】
2010210214.tif 000006
【図５】
2010210214.tif 000007
【図６】
2010210214.tif 000008
【図７】
2010210214.tif 000009
【図８】
2010210214.tif 000010